(57)【要約】【課題】人の視認性低下を抑えながら、照射される光による植物への悪影響を低減させることができる照明装置を提供する。【解決手段】照明装置１０を構成する照明本体１２は、照射対象位置（照射範囲Ａｏ）における明所視輝度が０．５ｃｄ／ｍ２以下となる発光部位に、６００〜７００ｎｍの波長域を減衰させるフィルタ部２３ａを備えた。【選択図】図１
2013008473.tif 000002
【特許請求の範囲】
【請求項１】
光を照射する発光部を備えた照明装置であって、
前記発光部は、照射対象位置における明所視輝度が０．５ｃｄ／ｍ２以下となる発光部位に、６００〜７００ｎｍの波長域を減衰させるフィルタ部を備えたことを特徴とする照明装置。
【請求項２】
請求項１に記載の照明装置において、
前記発光部は、発光波長のＳ／Ｐ比が２．０以上となるように構成されたことを特徴とする照明装置。
【請求項３】
請求項１又は２に記載の照明装置において、
前記発光部は、主に鉛直方向下側に光を照射するものであり、
前記フィルタ部は、前記発光部の照射範囲内で外側となる水平方向寄りの外周部位に設けられたことを特徴とする照明装置。
【請求項４】
請求項１〜３のいずれか一項に記載の照明装置において、
前記発光部は、光源部を覆って光を透光するカバー部であり、
前記フィルタ部は、前記カバー部に備えられたことを特徴とする照明装置。
【発明の詳細な説明】
【技術分野】
【０００１】
本発明は、例えば街路や道路等の室外で用いられる照明装置に関するものである。
【背景技術】
【０００２】
街路や道路等の室外においても照明装置が設置されており、夜間では通行者等の視認性の確保のためにそれらの照明装置が点灯されている（例えば、特許文献１参照）。
【先行技術文献】
【特許文献】
【０００３】
【特許文献１】特開２００９−１５１９６７号公報
【発明の概要】
【発明が解決しようとする課題】
【０００４】
ところで、上記のような照明装置の普及により、通行者等の視認性の確保が図られて安全性や利便性の向上に繋がっている。その一方で、照明装置の照射範囲に存在する植物にもその照明装置の照明光が供給されることとなるため、植物の生育に異常を来すという光害の発生が問題となっている。
【０００５】
そこで、光の波長に着目する。上述のような光害による植物の生育異常は、日中の太陽光による生育に加え、夜間も照明光による生育が怒ることで生じるが、植物の生育は６００〜７００ｎｍの波長域で特に促進されることが広く知られている。従って、これらの波長域の光をフィルタで減衰させることにより、前述のような好ましくない植物への作用を低減することが可能となるが、その波長域の光は可視光でもあるため、不用意に実施すれば視認性の低下を招く虞がある。
【０００６】
本発明は、上記課題を解決するためになされたものであって、その目的は、人の視認性低下を抑えながら、照射される光による植物への悪影響を低減させることができる照明装置を提供することにある。
【課題を解決するための手段】
【０００７】
上記課題を解決するために、本発明の照明装置は、光を照射する発光部を備えた照明装置であって、前記発光部は、照射対象位置における明所視輝度が０．５ｃｄ／ｍ２以下の発光部位に、６００〜７００ｎｍの波長域を減衰させるフィルタ部を備えることを特徴とする。
【０００８】
また、上記構成において、発光部は、発光波長のＳ／Ｐ比が２．０以上となるように構成されることが好ましい。
また、上記構成において、発光部は、主に鉛直方向下側に光を照射するものであり、前記フィルタ部は、前記発光部の照射範囲内で外側となる水平方向寄りの外周部位に設けられることが好ましい。
【０００９】
また、上記構成において、発光部は、光源部を覆って光を透光するカバー部であり、前記フィルタ部は、前記カバー部に備えられることが好ましい。
【発明の効果】
【００１０】
本発明によれば、人の視認性低下を抑えながら植物への悪影響を低減させることができる照明装置を提供することができる。
【図面の簡単な説明】
【００１１】
【図１】（ａ）は本実施形態の照明装置の概略構成を説明するための正面図であり、（ｂ）は同照明装置の装置本体部について説明するための斜視図であり、（ｃ）は同照明装置の装置本体部について説明するための模式的な断面図である。
【図２】フィルタ部の特性について説明するためのグラフである。
【図３】明所視輝度と薄明視輝度低下率について説明するためのグラフである。
【図４】別例における明所視輝度と薄明視輝度低下率について説明するためのグラフである。
【図５】同上におけるフィルタ部の特性について説明するためのグラフである。
【発明を実施するための形態】
【００１２】
以下、本発明を具体化した一実施形態を図面に従って説明する。
図１（ａ）に示すように、本実施形態の照明装置１０は、支柱部１１と、この支柱部１１の先端に取り付けられる照明本体１２とを備える。
【００１３】
支柱部１１は、柱状の金属製材料からなり、その基端部が例えば地面に埋設されている。
図１（ｂ）（ｃ）に示すように、照明本体１２は、一部が開口された筐体部２１と、この筐体部２１内に収容される光源部２２と、前記筐体部２１の開口部を覆って前記光源部２２の光を透光させる発光部としてのカバー部２３とを備えている。
【００１４】
カバー部２３は、図１（ｂ）（ｃ）に示すように半球状をなし、その外周縁部のフィルタ部２３ａと、中央部の透光部２３ｂとで構成される。フィルタ部２３ａは、例えばアクリルフィルタで構成され、例えば図２に示すように、６００〜７００ｎｍの波長域の光を減衰させる特性を有している。このフィルタ部２３ａは、光源部２２から照射された光によって照らされた路面（照射対象位置）の輝度が０．５ｃｄ／ｍ２以下となる位置に設けられる。一方、透光部２３ｂは、例えばアクリル樹脂等の透明（又は半透明）の樹脂材料で構成される。
【００１５】
次に、薄明視環境下における照明装置１０の光源部２２の順応明所視輝度と薄明色度との関係について説明する。
本発明者は、人の視認性低下を抑えながら植物への悪影響を低減させるべく、順応明所視輝度と薄明視輝度の低下量の関係について検討した。
【００１６】
まず、少なくとも６００〜７００ｎｍの波長域を含む光を減衰させるアクリルフィルタと２種の光源部（４０００Ｋ及び８０００ＫのＬＥＤ素子）とを用いて、順応明所視輝度と薄明視輝度との変化率を調査した（図３参照）。図３では、白抜き三角（△）で４０００ＫのＬＥＤ素子を光源部とした場合の調査結果を示し、白抜き四角（□）で８０００ＫのＬＥＤ素子を光源部とした場合の調査結果を示し、図３の各記号の近傍の曲線にて同一記号（同条件）の近似曲線を示している。
【００１７】
図３に示すように、いずれの光源部であっても順応明所視輝度が０．５ｃｄ／ｍ２以下において薄明視輝度の低下が抑えられる（低下率の値が大きくなる）ことがわかる。このため、薄明視環境下においては、０．５ｃｄ／ｍ２以下においてフィルタ部（例えばアクリルフィルタ）にて少なくとも６００〜７００ｎｍの波長域を含む光を減衰させても歩行者等の視認性の十分な確保が可能ということがわかる。
【００１８】
図３に示すように、光源部の色温度が異なることにより、薄明視輝度の低下率が異なることがわかる。具体的には、８０００ＫのＬＥＤ素子を光源部とすることで、４０００ＫのＬＥＤ素子を光源部とした場合と比較して薄明視輝度の低下が抑えられることが分かる。ここで、本調査で用いた８０００ＫのＬＥＤ素子のＳ／Ｐ比は約２．０７、一方４０００ＫのＬＥＤ素子のＳ／Ｐ比は約１．６４である。このため、光源部のＳ／Ｐ比が高いほど薄明視輝度での低下が抑えられることがわかる。ちなみに、Ｓ／Ｐ比とは、暗所視での分光視感効率Ｖ’（λ）にランプの分光特性を積算して算出される暗所視輝度Ｌｓと、明所視での分光視感効率Ｖ（λ）にランプの分光特性を積算して算出される明所視輝度Ｌｐとの比率のことである。
【００１９】
また、本発明者は、上記と同様に少なくとも６００〜７００ｎｍの波長域を含む光を減衰させる別のフィルタ部（図４に示すゼラチンフィルタ）と、色温度が５０００ＫのＬＥＤ素子を光源部として順応明所視輝度と薄明視輝度との変化率を調査した（図５参照）。
【００２０】
図５に示すように、順応明所視輝度が０．５ｃｄ／ｍ２以下において薄明視輝度の低下が抑えられる（低下率の値が大きくなる）ことがわかる。
次に、本実施形態の照明装置１０の動作例（作用）について説明する。
【００２１】
上記のように構成された照明装置１０は、前記点灯回路から光源部２２に電力が供給されることで点灯される。このとき、光源部２２からの光は、カバー部２３を通って外部に照射される。ここでカバー部２３の透光部２３ｂを通った光は鉛直方向下側寄りの範囲Ａｉに照射され、外周縁部のフィルタ部２３ａを通った光は６００〜７００ｎｍの波長域が減衰されて水平方向寄りの範囲Ａｏに照射される。フィルタ部２３ａによって６００〜７００ｎｍの波長域が減衰された光は、青みを帯びた光として照射されて演出性向上に寄与される。
【００２２】
次に、本実施形態の特徴的な効果を記載する。
（１）本実施形態の照明本体１２は、照射対象位置における明所視輝度が０．５ｃｄ／ｍ２以下となる発光部位に、６００〜７００ｎｍの波長域を減衰させるフィルタ部２３ａを備えた。これにより、照明装置１０によって植物に６００〜７００ｎｍの波長域が減衰された光が与えられても、夜間での生育促進等の光害を軽減され、透光部２３ｂからの光は減衰されないため薄明視環境等であっても視認性を確保することが可能となる。
【００２３】
（２）発光部としてのカバー部２３は、光源部２２から照射された光を外部に発光する際の発光波長のＳ／Ｐ比が２．０以上となるように構成されることで、短波長の光が相対的に多いことから薄明視輝度の低下がより抑えられ、視認性の低下をより抑えることができる。
【００２４】
（３）発光部としてのカバー部２３は、主に鉛直方向下側に光を照射するものであり、フィルタ部２３ａは、カバー部２３の照射範囲内で外側となる水平方向寄りの外周部位に設けられる。つまり、輝度が低い照射範囲Ａｏに対応する外周部位をフィルタリングすることから鉛直方向下側（範囲Ａｉ）における視認性の低下を小さくすることができる。また、照射範囲Ａｏに対応する外周部位に相当することから、外側の照射範囲Ａｏ（例えば道路）の周囲に存在する植物などへ照射される光を確実に減衰することで、植物などへの光害を効果的に低減することができる。
【００２５】
（４）光源部２２を覆って光を透光する発光部としてのカバー部２３を備え、フィルタ部２３ａは、カバー部２３に備えられる。このように、光源部２２と比較して意匠性の自由度の高い（加工が容易な）カバー部２３にフィルタ部２３ａを備えるため、フィルタ部２３ａを容易に照明本体１２に設けることができる。
【００２６】
尚、本発明の実施形態は、以下のように変更してもよい。
・上記実施形態では、フィルタ部２３ａとしてアクリルフィルタを採用したが、これに限らず、例えばゼラチンフィルタ、ガラスフィルタ、光学多層膜フィルタ等をフィルタ部２３ａとして採用してもよい。ここで、ゼラチンフィルタにてフィルタ部２３ａを構成した場合、図５に示すように、６００〜７００ｎｍの波長域の光を減衰させる特性を有している。そして、例えば５０００Ｋの光源部を用いた場合であっても、図５により０．５ｃｄ／ｍ２以下の発光部位にフィルタ部２３ａを設けても薄明視輝度低下が抑えられることがわかる。
【００２７】
・上記実施形態では特に言及していないが、カバー部２３のフィルタ部２３ａは、カバー部２３の外表面や内表面に貼り付けられるフィルム状としたり、カバー部２３を構成する材料に混合させる構成としてもよい。
【００２８】
・上記実施形態並びに上記構成では、発光部としてのカバー部２３にフィルタ部２３ａを設ける構成としたが、例えば光源部２２にフィルタ部２３ａを設けて発光部を構成してもよい。
【００２９】
・上記実施形態では、光源部２２としてＬＥＤ（Light Emitting Diode）素子を採用したが、これに限らず有機ＥＬ（Electro Luminescence）等の他の光源にて光源部２２を構成してもよい。
【符号の説明】
【００３０】
１０…照明装置、２２…光源部、２３…発光部としてのカバー部、２３ａ…フィルタ部、Ｌｓ…暗所視輝度、Ｌｐ…明所視輝度。
【図１】
2013008473.tif 000003
【図２】
2013008473.tif 000004
【図３】
2013008473.tif 000005
【図４】
2013008473.tif 000006
【図５】
2013008473.tif 000007